(57)【特許請求の範囲】
【請求項１】
それぞれ通信回線を介して接続され、商用電源で動作する自局側装置および対向側装置により構成され、それぞれ電源断を検出して相手側装置へ送信する電源断情報送信／検出方式において、
前記自局側装置で商用電源断を検出すると、電源断情報を送信して電源断状態となり、前記対向側装置では前記電源断情報を受信し、続いて前記自局側装置に起因する回線アラームを検出し、前記受信した電源断情報と、前記回線アラームの検出とに基づいて対向側電源断を検出することを特徴とする電源断情報送信／検出方式。
【請求項２】
前記電源断情報として任意パターンを、前記通信回線を介して送信することを特徴とする請求項１に記載の電源断情報送信／検出方式。
【請求項３】
前記任意パターンは、前記電源断後に予め決められた一定時間（Ｔ１）発生することを特徴とする請求項２に記載の電源断情報送信／検出方式。
【請求項４】
前記任意パターンを受信後に前記回線アラームが予め決められた一定時間（Ｔ２）内に発生した場合に対向側装置電源断とすることを特徴とする請求項１、２又は３に記載の電源断情報送信／検出方式。
【請求項５】
前記任意パターンを発生する一定時間（Ｔ１）は、電圧保持回路により決定されることを特徴とする請求項３に記載の電源断情報送信／検出方式。
【請求項６】
前記一定時間（Ｔ２）は、タイマを有する対向側装置電源断検出回路で判定されることを特徴とする請求項１ないし５の何れかに記載の電源断情報送信／検出方式。
【発明の詳細な説明】
【０００１】
【発明の属する技術分野】
本発明はデータ通信装置に関し、特に商用電源の遮断による電源断情報を送信し、対向側電源断を検出する電源断情報送信／検出方式に関する。
【０００２】
【従来の技術】
コンピュータ技術の進歩により各種のデータを通信するデータ通信装置が開発され実用化されている。斯かるデータ通信装置は、相互に離間している装置（自局側装置および対局側装置）間で通信回線を介してデータを送受信する。送信側装置が送信するデータを受信側装置が正常に受信するためには、各装置に商用電源等から適正な電源電圧が供給されていることが必要である。一方の装置の商用電源が、何らかの原因で遮断、即ち電源断となると、正常なデータ伝送が不可能であるので、相手側装置にその旨を通知して電源の復帰を待ってデータを再送信する必要がある。そのために、電源断情報送信／検出装置が使用される。
【０００３】
斯かる技術分野おける又は関連する従来技術は、例えば特開２００１−４５５２８号公報の「集合型回線終端装置及び回線終端網」、特開平７−２０２９９２号公報の「保守性を考慮した回線終端装置」、特開平８−１２５７６８号公報の「加入者デジタル伝送システムにおける電源オフ情報伝送方式」、特開２０００−５９４６６号公報の「電源断検出方法および電源断検出装置」および特開平４−７９４３４号公報の「電源断監視方式」等に開示されている。
【０００４】
【発明が解決しようとする課題】
従来のデータ通信装置の中には、予めフレームフォーマットの中に電源情報ビットがアサイン（割り当て）されているものと、アサインされていないものとの２種類ある。例えばターミナルアダプタ等の如く、フレームフォーマットに電源情報がアサインされてない場合に、電源断等の電源状態を対向側装置において確認したいケースがある。既にフレームフォーマットが形式化されているインターフェースでは、新たにフレームビットを追加することは、システムに大きな影響を与えるために大変困難であるという課題があった。
【０００５】
【発明の目的】
本発明は、従来技術の上述した課題に鑑みなされたものであり、従来のシステム構成を変更することなく、また上位装置に影響を与えることなく対向装置の電源状態を正確に確認することが可能な電源断情報送信／検出方式を提供することを目的とする。
【０００６】
【課題を解決するための手段】
前述の課題を解決するため、本発明による電源断情報送信／検出方式は、次のような特徴的な構成を採用している。
【０００７】
（１）それぞれ通信回線を介して接続され、商用電源で動作する自局側装置および対向側装置により構成され、それぞれ電源断を検出して相手側装置へ送信する電源断情報送信／検出方式において、
前記自局側装置で商用電源断を検出すると、電源断情報を送信して電源断状態となり、前記対向側装置では前記電源断情報を受信し、続いて前記自局側装置に起因する回線アラームを検出し、前記受信した電源断情報と、前記回線アラームの検出とに基づいて対向側電源断を検出する電源断情報送信／検出方式。
【０００８】
（２）前記電源断情報として任意パターンを、前記通信回線を介して送信する（１）に記載の電源断情報送信／検出方式。
【０００９】
（３）前記任意パターンは、前記電源断後に予め決められた一定時間（Ｔ１）発生する（２）に記載の電源断情報送信／検出方式。
【００１０】
（４）前記任意パターンを受信後に前記回線アラームが予め決められた一定時間（Ｔ２）内に発生した場合に対向側装置電源断とする（１）、（２）又は（３）に記載の電源断情報送信／検出方式。
【００１１】
（５）前記任意パターンを発生する一定時間（Ｔ１）は、電圧保持回路により決定される（３）に記載の電源断情報送信／検出方式。
【００１２】
（６）前記一定時間（Ｔ２）は、タイマを有する対向側装置電源断検出回路で判定される（１）ないし（５）の何れかに記載の電源断情報送信／検出方式。
【００１３】
【発明の実施の形態】
以下、本発明による電源断情報送信／検出方式の好適実施形態の構成および動作を、添付図面を参照して詳細に説明する。
【００１４】
先ず、図１は、本発明による電源断情報送信／検出方式の構成を示すブロック図である。この電源断情報送信／検出方式は、相互に通信回線で接続され、それぞれ商用電源から動作電源を受けて動作する自局側装置１０および対向（相手）自局側装置２０により構成される。自局側装置１０および対向側装置２０間は、通信回線３１、３２により相互接続されている。
【００１５】
自局側装置１０は、電圧保持回路１１、電源監視回路１２、任意パターン送信回路１３、任意パターン受信回路１４、回線アラーム検出回路１５および対向側装置電源断検出回路１６により構成される。同様に、対向側装置２０も、電圧保持回路２１、電源監視回路２２、任意パターン送信回路２３、任意パターン受信回路２４、回線アラーム検出回路２５および対向側装置電源断検出回路２６により構成される。自局側装置１０の任意パターン送信回路１３は、対向側装置２０の任意パターン受信回路２４と通信回線３１により接続されている。また、対向側装置２０の任意パターン送信回路２３は、自局側装置１０の任意パターン受信回路１４と通信回線３２により接続されている。
【００１６】
自局側装置１０に電源断が発生した場合には、それぞれ電圧保持回路１１により予め決められた任意時間（Ｔ１）の間内部電圧を保持する。そして、その間に対向側装置２０に対して任意パターンによる電源断情報を送信する。対向側装置２０では、この任意パターンを受信後に、予め決められた一定期間内Ｔ２に対向側装置の電源断による回線アラームが発生したことを確認して対向側装置の電源断を検出し、即ち対向側電源断検出として検出する。このように、「任意パターン＋回線アラーム」を組み合わせることにより、対向側装置の電源断情報を誤検出することなく監視／検出することを可能としている。
【００１７】
図１に示す本発明による電源断情報送信／検出方式の好適実施形態では、自局側装置１０および対向側装置２０が、通信回線３１、３２を介して１対１接続されている。自局側装置１０は、商用電源断が発生した際に、電源保持回路１１にて一定時間Ｔ１の間、動作に必要な内部電源電圧(例えば、＋５Ｖ等)を保持する。この間に電源監視回路１２において商用電源断情報を検出し、任意パターン送信回路１３に通知する。任意パターン送信回路１３は、商用電源断情報を受けて主信号に任意パターン（例えば、ＡＬＬ’１’のスクランブルした信号）を生成し、通信回線３１を介して対向側装置２０に送信する。
【００１８】
対向側装置２０では、任意パターン受信回路２４にて任意パターンを検出し、対向側装置電源断検出回路２６に通知する。自局側装置１０は、上述した任意パターン送信後に、電源断状態となるため、対向側装置２０は、回線アラーム（信号断（ＬＯＳ）又は同期外れ(ＲＥＣ）等)検出状態となる。対向側装置２０では、回線アラーム検出回路２５にて回線アラームを検出し、対向側装置電源断検出回路２６へ通知する。対向側装置電源断検出回路２６は、タイマを内蔵しており、任意パターン受信後一定時間Ｔ２内に、回線アラームが発生した場合に対向側装置の電源断として検出する。
【００１９】
次に、図２のタイミングチャートを参照して、本発明による電源断情報送信／検出方式の詳細動作を説明する。図２において、（ａ）〜（ｃ）は、それぞれ自局側装置１０の電源（ＰＷＲ）状態、電圧保持回路１１の内部電圧および電源監視回路１２からの電源断検出に基づき任意パターン送信回路１３から通信回線３１に出力される装置電源断情報である。図２（ａ）に示す如く、例えば時刻ｔ０に電源断（ＰＷＲの遮断）が生じる。この電圧保持回路１１の電圧保持時間で決まる一定時間Ｔ１中は、図２（ｂ）に示す如く、所定の電源電圧を維持する。そこで、図２（ｃ）に示す如く、電圧保持回路１１に保持していた内部電圧が放電して低下する時刻ｔ１まで任意パターン送信回路１３は、電源断情報である任意パターンを送信する。
【００２０】
時刻ｔ２に、電源（ＰＷＲ）が回復すると、電圧保持回路１１の内部電圧も一定値に復帰する。また、時刻ｔ３に電源瞬断（即ち、短時間の電源遮断）が生じた場合を示す。斯かる電源瞬断は、データ通信装置の動作に影響を及ぼさない。しかし、図２（ｃ）に示す如く、時刻ｔ３〜ｔ４間に、任意パターン送信回路１３は任意パターンを発生し、対向側装置２０へ送信する。
【００２１】
一方、図２中の（ｄ）〜（ｆ）は、それぞれ対向側装置２０の任意パターン受信回路２４からの受信信号に基づく対向側装置電源断情報、回線アラーム検出回路２５からの回線アラームおよび（任意パターン＋回線アラーム）に基づく対向側装置電源断検出回路２６の検出信号を示す。図２（ｄ）に示す如く、自局側装置１０から送信される任意パターン（図２（ｃ）参照）に基づき、期間Ｔ１中に任意パターンを受信する。その後、図２（ｅ）に示す如くタイマで設定された一定時間Ｔ２内に回線アラームが発生すると、図２（ｆ）に示す如く対向側装置電源断として検出される（即ち、図２（ｄ）に示す如く電源瞬断の後に発生する任意パターンの誤検出はない）。上述の如く、「任意パターン＋回線アラーム」を組み合わせる本発明の電源断情報送信／検出方式により、図２（ｄ）に示す如き任意パターンの誤検出や電源瞬断等による対向側電源断状態の誤検出を効果的に防止することが可能となる。
【００２２】
次に、図３のシーケンス図を参照して、本発明による電源断情報送信／検出方式の動作を説明する。自局側装置１０の商用電源が遮断された場合（ステップＳ１）には、一定時間（Ｔ１）電源断情報として任意のパターンを対向側装置２０に送信する（ステップＳ２）。その後に、自局側装置１０は電源断状態となる（ステップＳ３）。一方、対向側装置２０では、この任意パターンを受信する（ステップＳ４）。その後、対向側装置電源断検出回路２６は、回線アラームを検出して（ステップＳ５）、対向側電源断を検出する（ステップＳ６）ことが可能となる。このように、「任意パターン＋回線アラーム」を組み合わせることにより、正確に対向側装置の電源断情報を通知することを可能としている。
【００２３】
以上、本発明による電源断情報送信／検出方式の好適実施形態の構成および動作を詳述した。しかし、斯かる実施形態は、本発明の単なる例示に過ぎず、何ら本発明を限定するものではない。本発明の要旨を逸脱することなく、特定用途に応じて種々の変形変更が可能であること、当業者には容易に理解できよう。
【００２４】
【発明の効果】
以上の説明から理解される如く、本発明の電源断情報送信／検出方式によると、次の如き実用上の顕著な効果が得られる。即ち、相互にデータ通信している装置間で対向側装置電源断状態を正確に監視できる。電源瞬断による誤動作を確実に防止することが可能である。また、そのための構成は、簡単であり、既存のシステムの変更を必要としない。
【図面の簡単な説明】
【図１】本発明の好適実施形態の構成を示すブロック図である。
【図２】図1に示す本発明の動作を説明するタイミングチャートである。
【図３】図1に示す本発明の動作を説明するシーケンス図である。
【符号の説明】
１０  自局側装置
１１、２１  電圧保持回路
１２、２２  電源監視回路
１３、２３  任意パターン送信回路
１４、２４  任意パターン受信回路
１５、２５  回線アラーム検出回路
１６、２６  対向側装置電源断検出回路
３１、３２  通信回線
【図１】
0003693961.tif 000002
【図２】
0003693961.tif 000003
【図３】
0003693961.tif 000004